(57)【要約】      （修正有）【課題】従来の釣り竿の持ち方は左手もしくは右手で竿を握り、竿尻に肘を当てるようにして握るのが一般的である。その時手首の構造上どうしても竿を握った手首は少し下側に捻って握る形になる。そこで長時間の釣りにも手首に掛かる負担を軽減でき、且つ安定して支える事のできる釣り竿用保持具を提供する。【解決手段】上記する目的を達成する為に本発明釣り竿用保持具１は、竿本体９を組み付けて持った時にグリップ２の後端部分を側面から見た状態で下側に傾斜を付け、連結板３を組み付け、その後端部に角度調整具５を介して肘当て４を組み付ける事により、手首を捻らずに保持具１を握れる角度を確保でき、且つ肘当て４が自在に動く事により持ち疲れが少なくグリップ２及び肘当て４の２点で安定して支えらるれようにした。【選択図】図２
2007244352.tif 000002
【特許請求の範囲】
【請求項１】
保持具１を握り、掛かった魚とやりとりをする時に、竿を立てたり横に寝かしたりした時でも常に肘当て４が確実に腕に密着するよう保持具１を上面から見た状態で角度調整具５を中心として右に２０°左に２０°の範囲で可動する肘当て４を有する釣り竿用保持具１。
【請求項２】
保持具１を握り、堤防、或いは船、ボートから餌を遠投する場合、常に肘当て４が確実に腕に密着するよう保持具１を側面から見た状態で角度調整具５の支点を軸として竿本体９を水平にし、それを０°とした時、上方向０°から４５°の範囲で可動する肘当て４を有する釣り竿用保持具１。
【請求項３】
保持具１を握った状態を側面から見た場合、手首を捻らず、自然な角度で握れるようにグリップ２の実際に握る部分の角度を竿本体９を水平にしてそれを０°とした時、下方向に０°から４５°の範囲内で傾ける。更に連結板３の後部に角度調整具５を介して手首を捻らずグリップ２を握れる角度で肘当て４を設ける。
【請求項４】
保持具１を使用する場合は、対象魚により竿本体９は容易に交換出来る構造とする。
【請求項５】
既存の釣り竿に取り付けられる本発明上下、左右に可動する簡易型肘当て具１３。
【発明の詳細な説明】
【技術分野】
【０００１】本発明は主に海、川、湖でのルアー、浮き釣り等に使用する釣り竿に関するものである。
【背景技術】
【０００２】従来、海、川、湖を問わず釣り竿を使用して釣りをする時の竿の持ち方は、右手或いは左手で竿尻より前方４０ｃｍ程の部分を掴み、竿尻を右肘叉は左肘に当てて固定するのが一般的な持ち方である。けれども通常の釣り竿はグリップ部が例え竿本体と別物であっても竿の延長線上の後端にある。その為にその状態で竿を握ろうとすると手首の構造上どうしても手首を下向きにねじ曲げながら握る事になる。対象魚により錘りと餌をポイント迄投げてリールを巻いて魚のあたりを待ったり、浮きを使いその下にこませ篭と餌を付けて真下を狙う等様々な釣り方があるが、いずれの場合でも長時間やっていると手首が大変疲れてしまう。さらに肘の当たる部分の断面形状が丸の為、実際には肘に当たる部分は面では無く点である。その為、大物とのやりとりの時には肘に当たる箇所がずれたりする事がある。その時は手首一ケ所で魚のひきを凌ぐ事になる。そのような理由から、手首に掛かる負担は相当なものであり、結果として手首が痛くなってしまうのが現状である。
【発明の開示】
【発明が解決しようとする課題】
【０００３】本発明は、上記する海、川、湖釣りに於ける釣り竿の欠点を解決する為に、手首を捻る事無く自然な形で握れる形状のグリップ２及び、自在に可動する肘当て４の２点でしっかりと釣り竿が握れ、手首や腕に掛かる負担を軽減させる事を目的とした釣り竿用保持具１を提供するものである。
【課題を解決する為の手段】
【０００４】上記の目的を達成する為に本発明保持具１はグリップ２、連結板３、肘当て４、そして角度調整具５で構成される構造とする。グリップ２は手首をねじる事無く、自然に腕を伸ばした状態で握れるようグリップ２の後端部を竿本体９を水平にしてそれを０°とした時に下方向０°から４５°の範囲で傾斜を付ける。
【０００５】そして本発明に於いて特徴とする肘当て４は連結板３の後端部に上下、左右に可動する角度調節具５を介して連結される。
【発明の効果】
【０００６】上記の形態、構造を取り込む事により、手首に掛かる負担を軽減し、且つ常にグリップと肘当ての２点で竿を支える事が出来る為、大物とのやりとりや長時間の釣りにも持ち疲れの少ない効果が期待出来るものである。
【発明を実施するための最良の形態】
【実施例１】
【０００７】以下、図面に従って本発明の実施の形態を詳細に説明する。図１は本発明保持具１の一実施形態を示すものである。
【実施例２】
【０００８】図２は本発明保持具１の部品構成を示すものである。グリップ２の後部に連結板３をビス８で固定する。さらに連結板３の後端に角度調整具５（図３を参照）を介して、本発明の特徴である請求項１、請求項２の肘当て４を組み付ける。実際に使用する際は、請求項４の対象魚により釣り竿本体９を取り替えて、グリップ２の先端部に差し込んで使う。
【実施例３】
【０００９】図３は本発明請求項１、請求項２を実施する為の詳細図である。すなわち連結板３の後端部に角度調整具５をかぶせ、ビス等で固定する。次に肘当て４を連結板３に固定された角度調節具の上からかぶせ、止めネジ６で角度調整具５に固定し、最後に化粧蓋７をかぶせる。肘当て４の上下、左右の動きは図に示した以外にも様々な方法が考えられるので、その手段を問うものではない。
【実施例４】
【００１０】図４は本発明請求項５の既存の竿１２に上下、左右に可動する簡易型肘当て具１３を取り付けた状態を示す斜視図である。
【実施例５】
【００１１】図５は本発明請求項５の既存の竿１２に上下、左右に可動する簡易型肘当て具１３を実施する為の詳細図である。すなわち台座１０と一体で構成される角度調節部をバネ性の高いポリプロピレンのような樹脂で成形した物の上から肘当て４をはめ込み、止めネジ６で固定する。最後に化粧蓋７をかぶせる。肘当て４の上下、左右の動きは図に示した以外にも様々な方法が考えられるので、その手段を問うものではない。
既存の竿１２に本発明請求項５の簡易型肘当て具１３を取り付けるには、竿尻から簡易型肘当て具１３を竿先に向かって差込み、自分の使い易い位置に締め付けナット１１でしっかりと固定する。肘当て４、止めネジ６、化粧蓋７はいずれも本発明請求項１、請求項２で使用する物と同一の物を使う事が出来る。
【実施例６】
【００１２】図６は従来の釣り竿と糸の関係を示した図である。糸は釣り竿の延長線上にあるのが理想である。けれども釣り竿を持つ手とリールを巻く手との距離があり、リールを巻く腕に負担が掛かってしまう。
【実施例７】
【００１３】図７は実施例６の欠点を補う為、釣り竿を体の中心近くに寄せた状態を示す。すると釣り竿に対して糸は斜めになってしまう。
【実施例８】
【００１４】図８は実施例６、実施例７の欠点を補う手段として、本発明請求項１の可動する肘当て４を示したものである。
【実施例９】
【００１５】図９は本発明保持具１の請求項１を上から見た状態を示すものである。
掛かった魚とやりとりする時に図８で示すように釣り竿と糸の関係が理想の形となる。
【実施例１０】
【００１６】図１０は本発明保持具１の請求項２を横から見た状態を示すものである。
堤防、あるいは船の上から遠投する時にも常に肘当て４が腕に密着する事を目的とする。
【実施例１１】
【００１７】図１１は従来の釣り竿を持った時の状態を示すものである。手首の構造上、どうしても手首を捻りながら竿を掴む形になる。
【実施例１２】
【００１８】図１２は本発明保持具１の請求項３を実施した状態を示すものである  手首を捻る事無く握れる角度のついたグリップ２と肘当て４で構成される釣り竿用保持具１の握り方を示す図である。
【図面の簡単な説明】
【００１９】
【図１】  本発明可動式肘当てを備えた釣り竿用保持具１の斜視図である。
【図２】  本発明可動式肘当てを備えた釣り竿用保持具１の構成を示す図である。
【図３】  本発明請求項１、請求項２を実施する為の詳細図である。
【図４】  本発明請求項５の実施例である。
【図５】  本発明請求項５を実施する為の詳細図である。
【図６】  従来の釣り竿と糸の関係を示す図である。
【図７】  従来の釣り竿と糸の関係を示す図である。
【図８】  本発明請求項１、請求項４を実施した状態での糸との関係を示す図である。
【図９】  本発明請求項１の実施例を表す上面図である。
【図１０】  本発明請求項２の実施例を表す側面図である。
【図１１】  従来の釣り竿の握り方を示す図である。
【図１２】  本発明可動式肘当てを備えた釣り竿用保持具１の請求項３の実施例を示す図である。
【符号の説明】
【００２０】１  釣り竿用保持具
２  グリップ
３  連結板
４  肘当て
５  角度調整具
６  止めネジ
７  化粧蓋
８  ビス
９  竿本体
１０台座
１１締め付けナット
１２既存の竿
１３簡易型肘当て具
【図１】
2007244352.tif 000003
【図２】
2007244352.tif 000004
【図３】
2007244352.tif 000005
【図４】
2007244352.tif 000006
【図５】
2007244352.tif 000007
【図６】
2007244352.tif 000008
【図７】
2007244352.tif 000009
【図８】
2007244352.tif 000010
【図９】
2007244352.tif 000011
【図１０】
2007244352.tif 000012
【図１１】
2007244352.tif 000013
【図１２】
2007244352.tif 000014